(57)【要約】【課題】  再給紙時の斜め送りを防止した自動両面給紙装置を得る。【解決手段】  転写紙２は、逆転コロ４、反転両面排出ローラ５及び搬送ローラ１０により画像形成処理のために搬送される。この搬送に際し、一対の誘導コロ７を有するジョガーフェンス８は、転写紙２の規定幅に対する幅方向の開閉が可動であり、この転写紙２の位置を規制する。また、転写紙２の通紙方向の規定幅を規制するエンドフェンス９によって転写紙２をジョガー部で停止させた後、再給紙開始の所定の時間前にジョガーフェンス８を閉め、且つ再給紙開始の所定の時間後にジョガーフェンス８を開くことにより転写紙２を揃える。再給紙の間だけジョガーフェンス８を閉じるため、再給紙時にスキュー等の不具合の発生を防ぎジョガー部への転写紙進入時の搬送性を高めることができる。誘導コロ７を有することによりジョギング動作の動作ロス及び時間ロスを低減し、且つエンドフェンス９を設けることにより線速を落とさず再給紙することができる。【選択図】        図１
2006103950.tif 000002
【特許請求の範囲】
【請求項１】
一方の面に画像が形成された転写紙を画像形成部に再給紙し、転写紙の他方の面に画像を形成する自動両面給紙装置において、転写紙の規定幅に対する幅方向の開閉が可動で、転写紙の位置を規制する誘導コロを有するジョガーフェンスと、転写紙の通紙方向の規定幅に対する幅方向の開閉が可動で、転写紙の通紙方向の位置を規制するエンドフェンスとを備えたことを特徴とする自動両面給紙装置。
【請求項２】
請求項１記載の自動両面給紙装置において、制御動作によりエンドフェンスを規定幅に開閉し、続いて再給紙開始の第１の所定時間前にジョガーフェンスを閉め、再給紙開始の第２の所定時間後にジョガーフェンス開き、さらに第３の所定時間後にジョガーフェンスを閉める制御を行う制御手段を備えたことを特徴とする自動両面給紙装置。
【請求項３】
請求項２記載の自動両面給紙装置において、第３の所定時間は、通紙方向の転写紙の規定幅に応じて設定されることを特徴とする自動両面給紙装置。
【発明の詳細な説明】
【技術分野】
【０００１】
本発明は、複写機、プリンタ等の画像形成装置に適用される自動両面給紙装置に関し、詳しくは、一方の面に画像が形成された転写紙を連続して画像形成部に再給紙し、転写紙の他方の面に画像を形成する自動両面給紙装置に関する。
【背景技術】
【０００２】
画像形成装置に適用される従来の自動両面給紙装置は、位置規制を行うジョガーフェンスを転写紙幅より十分な余裕分を持つ幅まで開き、転写紙停止後に転写紙幅分までジョガーフェンスを閉めるジョギング動作を行い、再給紙する制御がとられているのが一般的である（例えば、特開平９−０９６９２８号公報）。
【特許文献１】特開平９−０９６９２８号公報
【発明の開示】
【発明が解決しようとする課題】
【０００３】
しかしながら、ジョガーフェンスを転写紙幅より十分な余裕分を持つ幅まで開き、転写紙停止後に転写紙幅までジョガーフェンスを閉めるジョギング動作は、余裕分の距離だけ動作ロス及び時間ロスを伴うという問題がある。
本発明は、ジョガーフェンスのジョギング動作の動作ロス及び時間ロスを少なくしＣＰＭ（コピー／分）を向上させることができる自動両面給紙装置を提供することを目的とする。
【課題を解決するための手段】
【０００４】
上記目的を達成するために、請求項１記載の発明は、一方の面に画像が形成された転写紙を再給紙し、転写紙の他方の面に画像を形成する自動両面給紙装置において、転写紙の規定幅に対する幅方向の開閉が可動で、転写紙の位置を規制する誘導コロを有するジョガーフェンスと、転写紙の通紙方向の規定幅に対する幅方向の開閉が可動で、転写紙の通紙方向の位置を規制するエンドフェンスとを備えた自動両面給紙装置を最も主要な特徴とする。
請求項２記載の発明は、請求項１記載の自動両面給紙装置において、制御動作によりエンドフェンスを規定幅に開閉し、続いて再給紙開始の第１の所定時間前にジョガーフェンスを閉め、再給紙開始の第２の所定時間後にジョガーフェンス開き、さらに第３の所定時間後にジョガーフェンスを閉める制御が行われる自動両面給紙装置を主要な特徴とする。
請求項３記載の発明は、請求項２記載の自動両面給紙装置において、第３の所定時間は、通紙方向の転写紙の規定幅に応じて設定される自動両面給紙装置を主要な特徴とする。
【発明の効果】
【０００５】
本発明は、ジョガーフェンスに誘導コロを有し、ジョガーフェンスを転写紙幅より僅かに広い分だけ開き再給紙するようにし、また、エンドフェンスを設け、転写紙の線速を落とさず停止させるようにしたので、再給紙動作に移る時間ロスを低減することができる。
【発明を実施するための最良の形態】
【０００６】
一方の面に画像が形成された転写紙を画像形成部に再給紙し、転写紙の他方の面に画像を形成するための本発明の自動両面給紙装置は、転写紙の規定幅に対する幅方向の開閉が可動であり、この転写紙の位置を規制する誘導コロを有するジョガーフェンスによって、エンドフェンスで転写紙を停止させた後、誘導コロによって転写紙の規定幅の規制を一度は行ってはいるが、スキュー防止として再度転写紙の規定幅の規制を行うために再給紙開始の第１の所定時間前にジョガーフェンスを閉め、且つ再給紙開始の第２の所定時間後にジョガーフェンスを開くことを特徴としている。
また、上記の誘導コロを有するジョガーフェンスを開いた後、さらに第３の所定時間後に誘導コロを有するジョガーフェンスを閉める。さらに第３の所定時間は、通紙方向の転写紙の規定幅に応じて設定する。
以下、図面を参照して本発明による自動両面給紙装置の実施形態を詳細に説明する。
図１は本発明の実施形態に係る自動両面給紙装置における第１の動作状態を示す正面図、図２は本発明の実施形態に係る自動両面給紙装置における第２の動作状態を示す正面図、図３は本発明の実施形態に係る自動両面給紙装置の要部平面図、図４及び図５は誘導コロを有するジョガーフェンスの動作例を示すタイミング図である。
本実施形態の自動両面給紙装置は、転写紙２を反転両面ユニットＵへ搬送する反転両面搬入ローラ１、反転たたきコロ３、逆転コロ４、反転両面排出ローラ５、分岐爪６、転写紙２の幅方向を規制する誘導コロ７を有するジョガーフェンス８、転写紙の後端を規制するエンドフェンス９、搬送ローラ１０を有して構成される。誘導コロ７は、ジョガーフェンス８に設けた略垂直な軸部によって回転自在に支持されている。
【０００７】
上記構成の反転両面搬入ローラ１は、片面の画像形成処理が完了した転写紙２を反転両面ユニットＵへ搬送する回転ローラである。反転たたきコロ３は一方の先端部にゴム質の回転コロが設けられ、他方の先端部が軸受され、回転コロが軸受を中心に上下運動する。
逆転コロ４は、転写紙２を反転両面排出ローラ５へ誘導するためのコロであり、反転両面排出ローラ５は、片面の画像形成が完了した転写紙２を、他方の面への画像形成のために分岐爪６を介して所定の順序でフィードするためのローラである。
一対の誘導コロ７を有するジョガーフェンス８は、転写紙２の幅方向を規制するための機構部である。図３は誘導コロ７を有するジョガーフェンス８の平面的な配置関係及び概念的な動作方向を示す。ジョガーフェンス８は、不図示の移動モータにより、転写紙幅より僅かな分だけジョギング動作を行う。
エンドフェンス９は、転写紙２の通紙方向の規定幅を規制するための機構部である。規定幅は不図示の移動モータから制御動作により決められる。エンドフェンス９が設けられていないと、ジョガー部への転写紙搬入時に転写紙２が停止されるよう、反転両面搬入ローラ１で速度調整を行わなければならないが、エンドフェンス９が設けられていれば、ジョガー部への紙搬入時に線速を落とさず転写紙２を送り、エンドフェンス９で転写紙を止めることができ、ＣＰＭの向上に繋がる。
搬送ローラ１０は、転写紙２を画像形成のために順次搬送するローラである。転写紙２は、搬送ローラ１０により新たな画像形成処理のために画像形成部の転写位置に搬送される。
反転両面ユニットＵの下流側には画像形成部（感光体、帯電部、露光部、現像部、転写部、定着部）が配置されており、画像形成部において片面に画像形成を受けた転写紙は反転両面ユニットに導入されて、他面に画像形成を受けるために画像形成部の転写位置に再給紙される。画像形成部、読取部、書き込み部、給紙部、反転両面ユニット等の各構成要素は、図示しない制御手段による制御によって動作する。
【０００８】
次に、本実施形態の自動両面給紙装置の動作手順例を図に基づいて説明する。図１において、反転両面搬入ローラ１から排紙された一方の表面へ画像形成済の転写紙２は、ジョガー部へ搬送される。転写紙２は、誘導コロ７を有するジョガーフェンス８により搬入され、エンドフェンス９によって通紙方向の規定幅を規制され停止する。
スキュー防止のため、更に転写紙２の規定幅より僅かな分だけジョギング動作をすることにより揃えられる（図３）。次に一方の表面へ画像形成済の転写紙２は時計方向に回転する逆転コロ４により反転部へ搬送される（図２）。
上記の動作のタイミングを図４及び図５に基づき説明する。図４及び図５に示す再給紙クラッチＯＮは、転写紙２の逆転コロ４と反転たたきコロ３とによる転写紙２の反転開始を意味する。また、ジョガーフェンス開閉は、規定幅より僅かに広い範囲、方向への移動（開）と、規定幅方向への移動（閉）とを示す。
上記動作の関係おいて、図４は、再給紙の一定時間Ａ［ｍｓ］前に誘導コロ７を有するジョガーフェンス８を閉め、再給紙された転写紙２が搬送ローラ１０にくわえこまれる一定時間Ｂ［ｍｓ］後に誘導コロ７を有するジョガーフェンス８を開く動作のタイミング例を表している。
また図５が表す動作のタイミングにおいて、再給紙された片面記録済みの転写紙２が搬送ローラ１０にくわえこまれる一定時間Ｂ［ｍｓ］後、つまり転写紙２の給紙方向が確定した後に誘導コロ７を有するジョガーフェンス８を開き、再給紙のタイミングの一定時間Ｃ［ｍｓ］後に誘導コロ７を有するジョガーフェンス８を閉める一定時間Ｃ［ｍｓ］の時間長さは、通紙方向の転写紙２の規定幅に応じて可変とする。
本発明は、誘導コロ７を有するジョガーフェンス８によってジョギング動作の動作ロス及び時間ロスを低減させ、エンドフェンス９を設けることにより線速を落とさず再給紙することから、ＣＰＭを向上させる効果を有する。
また、再給紙開始の第１の所定時間前にジョガーフェンス８を閉め、再給紙開始の第２の所定時間後にジョガーフェンス８を開き、更に第３の所定時間後にジョガーフェンス８を閉めることによって、転写紙が位置規制され正しい向きで再給紙され、再給紙時のスキュー等の不具合発生を防止することができる。
【図面の簡単な説明】
【０００９】
【図１】本発明の実施形態に係る自動両面給紙装置における第１の動作状態を示す正面図。
【図２】本発明の実施形態に係る自動両面給紙装置における第２の動作状態を示す正面図。
【図３】本発明の実施形態に係る自動両面給紙装置の要部平面図。
【図４】誘導コロを有するジョガーフェンスの動作例を示すタイミング図（その１）。
【図５】誘導コロを有するジョガーフェンスの動作例を示すタイミング図（その２）。
【符号の説明】
【００１０】
１  反転両面搬入ローラ
２  転写紙
３  反転たたきコロ
４  逆転コロ
５  反転両面排出ローラ
６  分岐爪
７  誘導コロ
８  ジョガーフェンス
９  エンドフェンス
１０  搬送ローラ
【図１】
2006103950.tif 000003
【図２】
2006103950.tif 000004
【図３】
2006103950.tif 000005
【図４】
2006103950.tif 000006
【図５】
2006103950.tif 000007